(57)【要約】【課題】  警報検出機能が改善された伝送装置を提供する。【解決手段】  伝送装置は、分割されたクライアント信号をそれぞれ収容した複数のフレーム信号の警報を、それぞれ検出する複数の検出部と、前記複数のフレーム信号について、収容された前記クライアント信号が共通するグループを示すグループ情報を記憶する記憶部と、前記複数のフレーム信号のうち、前記警報が検出されたフレーム信号と共通の前記クライアント信号を収容する他のフレーム信号を、前記グループ情報に基づいて特定する特定部と、前記特定部により特定された前記他のフレーム信号の警報を生成する１以上の生成部とを有する。【選択図】図２
2015139072.tif 000002
【特許請求の範囲】
【請求項１】
分割されたクライアント信号をそれぞれ収容した複数のフレーム信号の警報を、それぞれ検出する複数の検出部と、
前記複数のフレーム信号について、収容された前記クライアント信号が共通するグループを示すグループ情報を記憶する記憶部と、
前記複数のフレーム信号のうち、前記警報が検出されたフレーム信号と共通の前記クライアント信号を収容する他のフレーム信号を、前記グループ情報に基づいて特定する特定部と、
前記特定部により特定された前記他のフレーム信号の警報を生成する１以上の生成部とを有することを特徴とする伝送装置。
【請求項２】
前記検出部により検出された前記警報、及び前記生成部により生成された前記警報を他装置に転送する複数の転送処理部を、さらに有することを特徴とする請求項１に記載の伝送装置。
【請求項３】
前記グループ情報は、前記複数のフレーム信号のうち、前記警報が検出されたフレーム信号の前記グループに属する各フレーム信号の警報を転送する転送処理部を示し、
前記特定部は、前記グループ情報が示す転送処理部に応じた前記１以上の生成部に前記警報の生成を指示し、
前記１以上の生成部は、当該指示に従って前記警報を生成することを特徴とする請求項２に記載の伝送装置。
【発明の詳細な説明】
【技術分野】
【０００１】
本件は、伝送装置に関する。
【背景技術】
【０００２】
通信需要の増加に伴い、高速光伝送方式が標準化されている。例えば、ＩＴＵ−Ｔ（International Telecommunication Union Telecommunication Standardization Sector（国際電気通信連合））勧告Ｇ．７０９は、約１．２５〜１００（Ｇｂｐｓ）の光伝送ネットワーク（OTN：Optical Transport Network）の技術を規定する。
【０００３】
ＯＴＮにおける光伝送は、ＯＴＵ(Optical channel Transport Unit)フレームと呼ばれるフォーマットの光信号に、複数のクライアント信号を収容することにより行われ、大容量の伝送を可能とする。ＯＴＵフレームに収容されるクライアント信号としては、ＳＤＨ（Synchronous Digital Hierarchy）フレーム、ＳＯＮＥＴ（Synchronous Optical NETwork）フレーム、及びイーサネット（登録商標、以下同様）フレームが挙げられる。このため、ＯＴＮ技術は、コアネットワークにおける大容量の伝送手段として期待されている。
【０００４】
ＯＴＵフレームは、様々な伝送速度のクライアント信号をマッピングして柔軟に収容するために、１以上のＯＤＵ（Optical channel Data Unit）を有する。ＯＤＵの伝送速度には、複数の種類が存在する。ＩＴＵ−Ｔ勧告Ｇ．７０９には、１．２５（Ｇｂｐｓ）の「ＯＤＵ０」、５（Ｇｂｐｓ）の「ＯＤＵ１」、１０（Ｇｂｐｓ）の「ＯＤＵ２」、４０（Ｇｂｐｓ）の「ＯＤＵ３」、及び１００（Ｇｂｐｓ）の「ＯＤＵ４」などが規定されている。
【０００５】
この技術によれば、伝送速度が１００（Ｇｂｐｓ）までのクライアント信号（１００ＧＢＡＳＥ−Ｒなど）を時分割多重方式で伝送することができる。
【０００６】
近年、さらなる通信需要の増加を見込み、４００（Ｇｂｐｓ）や１（Ｔｂｐｓ）などの大容量伝送を実現するため、ＤＰ（Dual Polarization）−６４ＱＡＭ（Quadrature Amplitude Modulation）などの多値度が高い変調方式の適用が検討されている。しかし、このような多値変調手段を光通信に適用した場合、ＳＮ（Signal Noise）比が低下するため、伝送距離が短くなるという問題がある。
【０００７】
そこで、ＳＮ比を改善して長距離伝送を可能とするため、多値変調信号をサブキャリア信号とし、複数のサブキャリア信号を波長多重技術により束ねて伝送する方法が期待されている。複数のサブキャリア信号を束ねて得られるマルチキャリア信号は、「スーパーチャネル」などと呼ばれる。なお、多値度が高い変調方式としては、ＤＰ−６４ＱＡＭだけでなく、ＤＰ−ＱＰＳＫ（Quaternary Phase-Shift Keying）やＤＰ−ＢＰＳＫ（Binary Phase-Shift Keying）も挙げられる。
【０００８】
ＯＴＮの場合、例えば１００（Ｇｂｐｓ）を超えるクライアント信号を、波長が相違する複数のＯＤＵ４に分けて収容し、スーパーチャネルにより伝送するＯＤＵ４Ｃｎ（ビットレート：１００×ｎ（Ｇｂｐｓ）（ｎ：自然数））の技術が検討されている。この技術によると、例えば、伝送速度が４００（Ｇｂｐｓ）のクライアント信号（例えば４００ＧＥ）をＯＴＮフレームに収容して伝送することが可能となる。
【０００９】
このようなマルチキャリア伝送では、サブキャリア信号ごとに波長が異なり、各波長のスペクトルは、伝送容量を増加させるために狭い帯域内に配置される。このため、マルチキャリア伝送では、従来の固定帯域幅（例えば５０（ＧＨｚ）、１００（ＧＨｚ）など）に代え、可変帯域幅（７５（ＧＨｚ）、１３７．５（ＧＨｚ）など）を可能とするフレキシブルグリッド機能が用いられる。フレキシブルグリッド機能は、グリッドレス機能とも呼ばれ、ＩＴＵ−Ｔ勧告Ｇ．６９４．１に規定されている。
【００１０】
ＯＤＵ４Ｃｎの伝送技術によると、１つのクライアント信号（１つのフレーム信号）が、ＯＤＵ４（複数のサブフレーム）ごとに処理される。このため、伝送装置は、複数のレーンにより複数のＯＤＵ４を並行して処理し、ＯＤＵ４ごとに警報検出などを行う。例えば、１００（Ｇｂｐｓ）のＯＤＵ４Ｃｎの場合、４つのレーンの各々において、１００（Ｇｂｐｓ）の信号処理が行われる。
【００１１】
警報検出処理に関し、例えば特許文献１には、回線が異なる信号が共通の回路素子を通らない接続構成を採用し、回路素子とスロット及びポートの接続関係を示すテーブルを検索することで障害箇所を特定する点が開示されている。また、特許文献２には、複数の仮想パスが属するグループパスを示すテーブルに基づき、障害発生時の経路切り替えを行う点が開示されている。
【先行技術文献】
【特許文献】
【００１２】
【特許文献１】特開平１１−３０８２１９号公報
【特許文献２】特開２０００−７８１５３号公報
【発明の概要】
【発明が解決しようとする課題】
【００１３】
しかし、複数のＯＤＵ４は、全体として１つのクライアント信号を収容するため、ＯＤＵ４ごとに個別に警報を取り扱うことは、ＯＡＭ（Operation, Administration and Maintenance）機能上、好ましくない。したがって、複数のＯＤＵ４の少なくとも１つに警報が発生した場合、クライアント信号の警報、つまり１つの通信回線の警報として検出されることが望ましい。なお、このような問題は、ＯＤＵ４Ｃｎに限られず、他のマルチキャリア伝送方式にも同様に生じ得る。
【００１４】
そこで本件は上記の課題に鑑みてなされたものであり、警報検出機能が改善された伝送装置を提供することを目的とする。
【課題を解決するための手段】
【００１５】
本明細書に記載の伝送装置は、分割されたクライアント信号をそれぞれ収容した複数のフレーム信号の警報を、それぞれ検出する複数の検出部と、前記複数のフレーム信号について、収容された前記クライアント信号が共通するグループを示すグループ情報を記憶する記憶部と、前記複数のフレーム信号のうち、前記警報が検出されたフレーム信号と共通の前記クライアント信号を収容する他のフレーム信号を、前記グループ情報に基づいて特定する特定部と、前記特定部により特定された前記他のフレーム信号の警報を生成する１以上の生成部とを有する。
【発明の効果】
【００１６】
本明細書に記載の伝送装置は、警報検出機能を改善できるという効果を奏する。
【図面の簡単な説明】
【００１７】
【図１】実施例に係る伝送装置の機能構成を示す構成図である。
【図２】インターフェースユニット及びスイッチユニットの機能構成の一例を示す構成図である。
【図３】ＯＴＵフレームの構成を示す構成図である。
【図４】ＯＴＵフレームのオーバーヘッドの構成を示す構成図である。
【図５】装置内フレームの構成例を示す構成図である。
【図６】フォワード側テーブル及びバックワード側テーブルの一例を示す表である。
【図７】第１動作例を示す構成図である。
【図８】第１動作例に関する警報制御部及び警報生成部の構成を示す構成図である。
【図９】第２動作例を示す構成図である。
【図１０】インターフェースユニット及びスイッチユニットの機能構成の他例を示す構成図である。
【図１１】フォワード側テーブル及びバックワード側テーブルの他例を示す表である。
【図１２】第３動作例を示す構成図である。
【図１３】第３動作例に関する警報制御部及び警報生成部の構成を示す構成図である。
【図１４】第４動作例を示す構成図である。
【発明を実施するための形態】
【００１８】
図１は、実施例に係る伝送装置の機能構成を示す構成図である。伝送装置は、例えば、基幹系ネットワーク内に設置され、マルチキャリア伝送方式に基づき、波長が相違する複数の光信号（サブキャリア信号）を伝送する。
【００１９】
複数の光信号は、フレキシブルグリッド機能により多重され、波長多重光信号（以下、「多重光信号」と表記）として伝送される。なお、伝送装置は、マルチキャリア伝送方式に限定されず、複数の光信号を、波長多重することなく、複数の伝送路を介してそれぞれ伝送してもよい。
【００２０】
伝送装置は、複数のインターフェースユニット１と、スイッチユニット２と、制御ユニット３と、分波部４と、合波部５とを有する。各ユニット１〜３、分波部４、及び合波部５は、例えば、電子部品や光学部品などを搭載した電子回路基板であり、伝送装置の筐体内に設けられた複数のスロットにそれぞれ収容される。各ユニット１〜３、分波部４、及び合波部５は、伝送装置の筐体の背面側に設けられた配線基板を介して、互いに電気的に接続される。
【００２１】
分波部４は、１以上の光ファイバ（伝送路）６と接続され、各光ファイバ６から入力された多重光信号Ｓ１を波長ごとに分波し、分波により得た複数の光信号を複数のインターフェースユニット１にそれぞれ出力する。分波部４としては、例えば波長選択スイッチが用いられる。この場合、分波部４は、制御ユニット３により行われた波長設定に従って、各波長の光信号を各インターフェースユニット１に導く。
【００２２】
複数のインターフェースユニット１は、分波部４から入力された光信号を受信し、スイッチユニット２に出力する。スイッチユニット２は、制御ユニット３によるスイッチ設定に従って、インターフェースユニット１から入力された光信号を、当該宛先に応じた他のインターフェースユニット１に出力する。インターフェースユニット１は、スイッチユニット２から入力された光信号の送信処理を行い、光信号を合波部５に出力する。
【００２３】
合波部５は、１以上の光ファイバ（伝送路）７と接続され、複数のインターフェースユニット１からそれぞれ入力された複数の光信号を合波して、多重光信号Ｓ２として光ファイバ７に出力する。合波部５としては、例えば光カプラや波長選択スイッチが用いられる。波長選択スイッチの場合、合波部５は、制御ユニット３により行われた波長設定に従って、各波長の光信号を合波して、各インターフェースユニット１に導く。
【００２４】
制御ユニット３は、伝送装置全体の監視制御を行い、例えば、スイッチユニット２のスイッチ設定や分波部４及び合波部５の波長設定を行う。制御ユニット３は、例えば、ＣＰＵ（Central Processing Unit）などのプロセッサを備え、ソフトウェアにより駆動される。
【００２５】
図２は、インターフェースユニット１及びスイッチユニット２の機能構成の一例を示す構成図である。図２には、一例として、識別番号（識別子）＃１〜＃８のインターフェースユニット１（「インターフェースユニット＃１」〜「インターフェースユニット＃８」）の実装状態が示されている。
【００２６】
インターフェースユニット１の識別番号は、例えば、インターフェースユニット１の固有の番号（例えば製造番号）であってもよいし、伝送装置の筐体において、インターフェースユニット１が実装されたスロットの番号であってもよい。なお、以降の説明において、識別番号＃１〜＃８のインターフェースユニット１を、互いに区別するため、「インターフェースユニット（＃１）」〜「インターフェースユニット（＃８）」と表記する。
【００２７】
インターフェースユニット（＃１〜＃４）１は、分波部４から、波長が相違する光信号（フレーム信号）Ｓ１１〜Ｓ１４がそれぞれ入力される。光信号Ｓ１１〜Ｓ１４は、分波部４の分波により共通の多重光信号Ｓ１から得られる。
【００２８】
光信号Ｓ１１〜Ｓ１４は、それぞれ、例えば、１００（Ｇｂｐｓ）のＯＴＵフレーム（ＯＤＵ４）により形成され、共通のクライアント信号を分割して収容する。言い換えれば、光信号Ｓ１１〜Ｓ１４のＯＴＵフレームは、それぞれ、共通のクライアント信号を４つに分割して得たデータを収容する。なお、クライアント信号としては、例えば、ＳＤＨフレーム、ＳＯＮＥＴフレーム、及びイーサネットフレームが挙げられる。
【００２９】
このため、光信号Ｓ１１〜Ｓ１４は、収容されたクライアント信号が共通するグループＧとして管理される。これと同様に、光信号Ｓ１１〜Ｓ１４を処理するインターフェースユニット（＃１〜＃４）１も、グループＧとして管理される。なお、グループＧの管理は、後述するように、各インターフェースユニット１の識別番号＃１〜＃８に基づいて、制御ユニット３により行われる。
【００３０】
光信号Ｓ１１〜Ｓ１４は、インターフェースユニット（＃１〜＃４）１から、スイッチユニット２を介して、インターフェースユニット（＃５〜＃８）１にそれぞれ入力された後、光信号Ｓ２５〜Ｓ２８として、他の伝送装置に伝送される。光信号Ｓ２５〜Ｓ２８は、合波部５において、共通の多重光信号Ｓ２に合波される。
【００３１】
このため、光信号Ｓ２５〜Ｓ２８は、インターフェースユニット（＃５〜＃８）１とともに、収容されたクライアント信号が共通するグループＧとして管理される。なお、インターフェースユニット（＃５〜＃８）１に入力される光信号Ｓ１５〜Ｓ１８、及び、インターフェースユニット（＃１〜＃４）１から出力される光信号Ｓ２１〜Ｓ２４についても同様に、グループＧとして管理される。
【００３２】
各インターフェースユニット１は、一例として、１００（Ｇｂｐｓ）の伝送処理速度を有し、ＤＰ−ＢＰＳＫに基づいて変調処理及び復調処理を行う。したがって、同一グループＧに属する４つのインターフェースユニット（＃１〜＃４、＃５〜＃８）１は、全体として、４００（Ｇｂｐｓ）のクライアント信号を伝送する。すなわち、伝送装置は、４００（Ｇｂｐｓ）のクライアント信号を、４つの論理レーン（物理レーン）に分けて伝送処理する。以下にインターフェースユニット１の機能構成について述べる。
【００３３】
インターフェースユニット１は、受信部１０と、オーバーヘッド（ＯＨ）抽出部１１と、警報検出部（検出部）１２と、ＯＤＵ生成部１３と、出力変換部１４とを有する。インターフェースユニット１は、送信部１５と、オーバーヘッド（ＯＨ）挿入部１６と、警報転送部（転送処理部）１７と、ＯＴＵ生成部１８と、入力変換部１９とを有する。なお、図２には、インターフェースユニット（＃１，＃５）１の構成のみが記載されているが、他のインターフェースユニット（＃２〜＃４，＃６〜＃８）１についても同様の構成を有する。
【００３４】
受信部１０は、光信号Ｓ１１〜Ｓ１８の受信処理を行う。受信部１０は、光信号Ｓ１１〜Ｓ１８を電気信号に変換（光−電気変換）し、電気信号の復調処理、フレーム同期処理、及びシリアル−パラレル変換処理（ＳｅｒＤｅｓ機能）などを行う。ここで、復調処理は、光信号Ｓ１１〜Ｓ１８の変調方式に応じて行われる。本例では、変調方式として、ＤＰ−ＢＰＳＫを挙げる。なお、受信部１０から出力される電気信号を、以降の説明において、「ＯＴＵフレーム」または「フレーム信号」と表記する。
【００３５】
ＯＨ抽出部１１は、ＯＴＵフレームのオーバーヘッドから、所定の制御情報などを抽出する。図３は、ＯＴＵフレームの構成を示す構成図である。ＯＴＵフレームは、オーバーヘッド、ペイロード、及びＦＥＣ（Forward Error Correction）をそれぞれ格納する３つの領域を有する。本例では、光信号Ｓ１１〜Ｓ１８のフォーマットとして、ＩＴＵ−Ｔ勧告Ｇ．７０９に規定されたＯＴＵフレームを挙げるが、これに限定されることはなく、他形式のフレームを採用してもよい。なお、図３中の「ＯＨ」は、オーバーヘッドを表す。
【００３６】
オーバーヘッド領域は、ＦＡＳ（Frame Alignment Signal）オーバーヘッド、ＯＴＵオーバーヘッド、ＯＤＵオーバーヘッド、及びＯＰＵ（Optical channel Payload Unit）オーバーヘッドを含む。各オーバーヘッドは、各種の制御情報を含む。また、ペイロード領域は、論理チャネルである１以上のＴＳ（Tributary Slot）（図示せず）が設けられ、ＴＳごとにクライアント信号を収容する。
【００３７】
図４は、ＯＴＵフレームのオーバーヘッドの構成を示す構成図である。図４において、「Ｒｏｗ」及び「Ｃｏｌｕｍｎ」は、図３の「Ｒｏｗ」及び「Ｃｏｌｕｍｎ」にそれぞれ対応する。また、フレーム内にある「＊１」〜「＊４」の内容は、フレーム外の「＊１」〜「＊４」にそれぞれ示されている。
【００３８】
ＦＡＳオーバーヘッドは、ＦＡＳ及びＭＦＡＳ（Multi-Frame Alignment Signal）を含み、受信部１０におけるフレーム同期処理に用いられる。このため、ＦＡＳオーバーヘッドは、ＯＴＵフレームの先頭を示す固有パタンデータを有する。
【００３９】
ＯＴＵオーバーヘッドは、監視機能を提供し、ＳＭ（Section Monitoring）と、ＧＣＣ（General Communication Channel）０と、ＲＥＳ(Reserved for future international Standardization)とを含む。ＳＭは、ＴＴＩ（Trail Trace Identifier）と、ＢＩＰ−８（Bit Interleaved Parity level 8）とを含む。ＳＭは、ＢＥＩ（Backward Error Indication）／ＢＩＡＥ（Backward Incoming Alignment Error）と、ＢＤＩ（Backward Defect Indication）と、ＩＡＥ（Incoming Alignment Error）と、ＲＥＳとを、さらに含む。
【００４０】
ＯＤＵオーバーヘッドは、ＲＥＳ、ＰＭ（Path Monitoring）＆ＴＣＭ（Tandem Connection Monitoring）、ＴＣＭ  ＡＣＴ（Activation/deactivation Control Channel）、ＴＣＭ１〜６、及びＦＴＦＬ（Fault Type & Fault Location reporting channel）を含む。ＯＤＵオーバーヘッドは、ＰＭ、ＥＸＰ（Experimental）、ＧＣＣ１，２、及びＡＰＳ（Automatic Protection Switching coordination channel）／ＰＣＣ（Protection Communication Channel）を、さらに含む。ＰＭ＆ＴＣＭは、ＤＭｔ（Delay Measurement of TCM）１〜６と、ＤＭｐ（Delay Measurement of ODUk path）と、ＲＥＳとを含む。
【００４１】
ＴＣＭ１〜６は、それぞれ、ＴＴＩと、ＢＩＰ−８と、ＢＥＩｉ／ＢＩＡＥｉと、ＢＤＩｉと、ＳＴＡＴ（Status）ｉとを含む（ｉ＝１〜６）。ＰＭは、ＴＴＩと、ＢＩＰ−８と、ＢＥＩと、ＢＤＩと、ＳＴＡＴとを含む。
【００４２】
ＯＰＵオーバーヘッドは、ＰＳＩ（Payload Structure Identifier）と、ＪＣ（Justification Control）と、ＮＪＯ（Negative Justification Opportunity）と、ＰＪＯ（Positive Justification Opportunity）と、ＲＥＳとを含む。ＲＥＳは、ＧＭＰ(Generic Mapping Procedure)運用の場合、ＪＣとして使用される。なお、上記の各パラメータの詳細については、ＩＴＵ−Ｔ勧告Ｇ．７０９に規定されている。
【００４３】
再び図２を参照すると、警報検出部１２は、分割されたクライアント信号を収容したフレーム信号の警報を検出する。より具体的には、警報検出部１２は、ＯＨ抽出部１１が抽出した制御情報に基づいて、フレーム信号の警報を検出する。例えば、警報検出部１２は、受信部１０がＦＡＳオーバーヘッドに基づく同期確立に失敗した場合、警報（同期障害）を検出する。
【００４４】
警報検出処理に用いられる制御情報としては、ａＡＩＳの場合、ＯＤＵｋＴ＿ＴＴ＿Ｓｋを一例として、図４のオーバーヘッド内のＴＣＭ１〜６及びＰＭが挙げられ、ａＢＤＩの場合、ＯＤＵｋＴ＿ＴＴ＿Ｓｋを一例として、該オーバーヘッド内のＳＭ、ＴＣＭ１〜６、ＰＭ、及びＦＡＳ、及びＭＦＡＳが挙げられる。より具体的には、ＴＣＭ１〜６内のＳＴＡＴｉ（dAIS(Alarm Indication Signal),dOCI(Open Connection Indication),dLTC(Loss of Tandem Connection),dLCT(Locked Defect)など）及びＴＴＩ（dTIM(Trail trace Identifier Mismatch)）が用いられる。また、ＰＭ、ＦＡＳ、及びＭＦＡＳについては、下位レイヤの警報（ＦＡＳ及びＭＦＡＳの場合、dLOS(Loss of Signal),dLOF(Loss of Frame),dLOM(Loss of Multiframe)など）が用いられる。
【００４５】
警報検出部１２は、インターフェースユニット１ごとに設けられている。このため、光信号Ｓ１１〜Ｓ１８から得られた各フレーム信号の警報は、複数の警報検出部１２により個別に検出される。警報検出部１２は、検出した警報を出力変換部１４に出力する。また、警報検出部１２は、フレーム信号をＯＤＵ生成部１３に出力する。
【００４６】
ＯＤＵ生成部１３は、フレーム信号のフォーマットを、ＯＴＵフレームからＯＤＵフレームに変換する。より具体的には、ＯＤＵ生成部１３は、ＯＴＵフレームからＦＡＳオーバーヘッド及びＯＴＵオーバーヘッドを削除する。ＯＤＵ生成部１３は、変換処理により得たＯＤＵフレームを出力変換部１４に出力する。
【００４７】
出力変換部１４は、ＯＤＵフレームを所定の装置内フレームに変換する。図５は、装置内フレームの構成例を示す構成図である。装置内フレームは、オーバーヘッド及びペイロードを含む。ペイロードは、ＯＤＵフレームのペイロードを含む。
【００４８】
オーバーヘッドは、例えば、ＯＤＵオーバーヘッド内の制御情報、及び警報検出情報を含む。警報検出情報は、警報検出部１２から入力された警報に基づいて生成され、オーバーヘッドに挿入される。警報検出情報は、伝送装置の下流側に設けられた他の伝送装置に送信されるＡＩＳの要因となる警報、及び伝送装置の上流側に設けられた他の伝送装置に送信されるＢＤＩの要因となる警報を含む。
【００４９】
警報検出情報は、例えば、ＯＤＵＣｎ−ａＡＩＳ、ＳＭ−ａＢＤＩ、ＰＭ−ａＢＤＩ、及びＴＣＭ１−ａＢＤＩ〜ＴＣＭ６−ａＢＤＩを含む。ＯＤＵＣｎ−ａＡＩＳ、ＳＭ−ａＢＤＩ、ＰＭ−ａＢＤＩ、及びＴＣＭ１−ａＢＤＩ〜ＴＣＭ６−ａＢＤＩは、「１」である場合、当該警報が検出されたことを示し、「０」である場合、当該警報が検出されていないことを示す。
【００５０】
ＯＤＵＣｎ−ａＡＩＳは、ＯＤＵｋＴ＿ＴＴ＿Ｓｋを一例として、図４のオーバーヘッド内のＴＣＭ１〜６（ＳＴＡＴｉ及びＴＴＩ）及びＰＭ（下位レイヤの警報）に基づいて検出される。ＳＭ−ａＢＤＩ及びＰＭ−ａＢＤＩは、ＯＤＵｋＴ＿ＴＴ＿Ｓｋを一例として、図４に示されたオーバーヘッド内のＳＭ（ＴＴＩ）及びＰＭ（下位レイヤの警報、ＳＴＡＴｉ及びＴＴＩ）に基づいてそれぞれ検出される。ＴＣＭ１−ａＢＤＩ〜ＴＣＭ６−ａＢＤＩは、ＯＤＵｋＴ＿ＴＴ＿Ｓｋを一例として、図４に示されたオーバーヘッド内のＴＣＭ１〜６（ＳＴＡＴｉ及びＴＴＩ）に基づいてそれぞれ検出される。なお、ａＡＩＳ及びａＢＤＩの生成は、例えば、ＩＴＵ−Ｔ勧告Ｇ．７９８に記載された生成式に基づいて行われる。
【００５１】
再び図２を参照すると、出力変換部１４は、変換処理により得た装置内フレームをスイッチユニット２に出力する。
【００５２】
スイッチユニット２は、スイッチ部（ＳＷ）２０と、複数の入力変換部２１、複数の警報出力部２２と、複数の出力変換部２３と、複数の警報生成部（生成部）２４と、警報制御部（特定部）２５とを有する。入力変換部２１、警報出力部２２、出力変換部２３、及び警報生成部２４は、インターフェースユニット１ごとに対応して設けられている。入力変換部２１、警報出力部２２、出力変換部２３、及び警報生成部２４は、伝送装置に実装可能なインターフェースユニット１と同数分だけ設けられる。
【００５３】
インターフェースユニット１の出力変換部１４から出力された装置内フレームは、入力変換部２１に入力される。入力変換部２１は、装置内フレームのオーバーヘッドから警報検出情報を抽出して、警報出力部２２に出力する。また、入力変換部２１は、装置内フレームをＯＤＵフレームに変換して、警報出力部２２に出力する。
【００５４】
警報出力部２２は、警報検出情報を警報制御部２５に出力する。また、警報出力部２２は、ＯＤＵフレームをスイッチ部２０に出力する。
【００５５】
スイッチ部２０は、制御ユニット３からのスイッチ設定に従い、警報出力部２２から入力されたＯＤＵフレームが、当該宛先に応じたインターフェースユニット１に出力されるようにスイッチング制御を行う。より具体的には、スイッチ部２０は、ＯＤＵフレームを、当該インターフェースユニット１に対応する警報生成部２４に出力する。なお、スイッチ部２０は、ＯＤＵフレームに宛先情報が付与されている場合、上記の方式に代え、宛先情報に応じた警報生成部２４に出力する。
【００５６】
警報制御部２５は、複数のフレーム信号のうち、警報検出部１２により警報が検出されたフレーム信号と共通のクライアント信号を収容する他のフレーム信号を、制御ユニット３が保持するグループ情報３１ａに基づいて特定する。より具体的には、警報制御部２５は、警報が検出されたフレーム信号（光信号Ｓ１１〜Ｓ１４，Ｓ１５〜Ｓ１８）のインターフェースユニット１の識別番号から、同一グループＧに属する各フレーム信号の警報を転送するインターフェースユニット１を特定する。警報制御部２５は、特定したインターフェースユニット１に対応する警報生成部２４に、警報の生成を指示する。なお、グループ情報３１ａについては後述する。
【００５７】
警報生成部２４は、警報制御部２５により指示された警報を生成する。より具体的には、警報生成部２４は、装置内フレームのオーバーヘッドに挿入する警報検出情報（図５参照）を生成する。このとき、警報検出情報内の当該警報（検出された警報）は「１」を示し、他の警報（未検出の警報）は「０」を示す。警報生成部２４は、生成した警報検出情報を出力変換部２３に出力する。また、警報生成部２４は、スイッチ部２０から入力されたＯＤＵフレームを出力変換部２３に出力する。なお、警報生成部２４は、警報制御部２５からの指示がない場合、全警報が「０」（未検出）である警報検出情報を出力変換部２３に出力する。
【００５８】
出力変換部２３は、ＯＤＵフレームを装置内フレームに変換する。また、出力変換部２３は、装置内フレームのオーバーヘッドに、警報生成部２４から入力された警報検出情報を挿入する。出力変換部２３は、変換処理により得た装置内フレームをインターフェースユニット１の入力変換部１９に出力する。
【００５９】
入力変換部１９は、装置内フレームのオーバーヘッドから警報検出情報を抽出し、ＯＨ挿入部１６に出力する。また、入力変換部１９は、装置内フレームをＯＤＵフレームに変換して、ＯＴＵ生成部１８に出力する。
【００６０】
ＯＴＵ生成部１８は、ＯＤＵフレームをＯＴＵフレームに変換する。より具体的には、ＯＴＵ生成部１８は、ＯＤＵフレームにＦＡＳオーバーヘッドを付与する（図３参照）。ＯＴＵ生成部１８は、変換処理により得たＯＴＵフレームを警報転送部１７に出力する。
【００６１】
警報転送部１７は、警報検出部１２により検出された警報、及び警報生成部２４により生成された警報を他の伝送装置に転送する。これにより、ネットワーク全体で、伝送装置の警報の検出情報が共有される。
【００６２】
より具体的には、警報転送部１７は、ＡＩＳの要因となる警報が検出されている場合（図５のＯＤＵＣｎ−ａＡＩＳ＝「１」の場合）、ＡＩＳの生成指示をＯＨ挿入部１６に出力する。ＡＩＳは、フォワード方向（下流方向）、つまり光信号Ｓ１１〜Ｓ１８の送信対象となる他の伝送装置に送信される。例えば、光信号Ｓ１１〜Ｓ１４の何れかにＡＩＳの要因となる警報が検出された場合、ＡＩＳが、インターフェースユニット（＃５〜＃８）１から当該接続先の伝送装置に送信されることにより、警報が転送される。
【００６３】
また、警報転送部１７は、ＢＤＩの要因となる警報が検出されている場合（例えば、図５のＳＭ−ａＢＤＩ＝「１」の場合）、ＢＤＩの生成指示をＯＨ挿入部１６に出力する。ＢＤＩは、バックワード方向（上流方向）、つまり光信号Ｓ１１〜Ｓ１８の送信元となる他の伝送装置に送信される。例えば、光信号Ｓ１１〜Ｓ１４の何れかにＢＤＩの要因となる警報が検出された場合、ＢＤＩが、インターフェースユニット（＃１〜＃４）１から当該接続先の伝送装置に送信されることにより、警報が転送される。
【００６４】
ＯＨ挿入部１６は、所定の制御情報をＯＴＵフレームのオーバーヘッドに挿入する。ＯＨ挿入部１６は、警報転送部１７からＡＩＳの生成指示が入力された場合、ＡＩＳを生成して送信部１５に出力する。なお、ＡＩＳ（ＯＤＵｋ−ＡＩＳ）は、ＯＴＵフレームのうち、ＦＴＦＬを除いたＯＤＵオーバーヘッド領域全体と、ペイロード領域全体を「１」（２進数）とした信号である。
【００６５】
また、ＯＨ挿入部１６は、警報転送部１７からＢＤＩの生成指示が入力された場合、ＯＴＵフレームのオーバーヘッドにＢＤＩを挿入して送信部１５に出力する。より具体的には、ＯＨ挿入部１６は、ＢＤＩの要因となる警報の種類に応じて、図４に示された「ＢＤＩ」、または「ＢＤＩｉ」を「１」（２進数）とする。ＯＨ挿入部１６は、例えば、ＳＭ−ａＢＤＩの場合、「ＳＭ」内の「ＢＤＩ」を「１」とする。なお、警報の種類は、上記の生成指示に含まれる。
【００６６】
送信部１５は、ＯＴＵフレームの送信処理を行う。より具体的には、送信部１５は、ＯＴＵフレームのパラレル−シリアル変換処理（ＳｅｒＤｅｓ機能）及び変調処理を行い、ＯＴＵフレームを電気信号から光信号Ｓ２１〜Ｓ２８に変換する（電気−光変換処理）。また、送信部１５の変調方式は、ＤＰ−ＢＰＳＫである。
【００６７】
次に、制御ユニット３について説明する。制御ユニット３は、設定処理部３０及び記憶部３１を有する。設定処理部３０は、例えばＣＰＵであり、記憶部３１は、例えば不揮発性メモリやハードディスクドライブなどの記憶手段である。
【００６８】
設定処理部３０及び記憶部３１は、装置内バスを介してスイッチユニット２と接続されている。設定処理部３０は、例えばネットワーク管理装置（図示せず）からの指示に従い、スイッチ部２０のスイッチ設定を行う。
【００６９】
記憶部３１は、グループ情報３１ａを記憶する。グループ情報３１ａは、例えばインターフェースユニット１のプロビジョニング設定（伝送装置の運用前の初期設定情報）の１つであり、使用者の操作に従って、設定処理部３０から設定される。
【００７０】
グループ情報３１ａは、複数のフレーム信号（光信号Ｓ１１〜Ｓ１４，Ｓ１５〜Ｓ１８）について、収容されたクライアント信号が共通するグループＧを示す。グループ情報３１ａは、警報の転送方向、つまりフォワード方向及びバックワード方向に応じた２つのテーブルを含む。なお、以降の説明において、フォワード方向のテーブルを「フォワード側テーブル」と表記し、バックワード方向のテーブルを「バックワード側テーブル」と表記する。
【００７１】
図６には、フォワード側テーブル及びバックワード側テーブルの一例が示されている。図６（ａ）はフォワード側テーブルを示し、図６（ｂ）はバックワード側テーブルを示す。
【００７２】
フォワード側テーブルは、警報が検出されたインターフェースユニット１の識別番号と、ＡＩＳにより当該警報をフォワード方向に転送するインターフェースユニット１（「フォワード側インターフェースユニット」）の識別番号の対応関係を示す。つまり、警報が検出されたインターフェースユニット１の識別番号の行において、「１」を示す欄のフォワード側インターフェースユニット１は、ＡＩＳを送信し、「０」を示す欄のフォワード側インターフェースユニット１は、ＡＩＳを送信しない。例えば、インターフェースユニット（＃１）１が警報を検出した場合、インターフェースユニット（＃５〜＃８）１がＡＩＳを送信する（符号Ｐ１参照）。
【００７３】
バックワード側テーブルは、警報が検出されたインターフェースユニット１の識別番号と、ＢＤＩにより当該警報をバックワード方向に転送するインターフェースユニット１（「バックワード側インターフェースユニット」）の識別番号の対応関係を示す。つまり、警報が検出されたインターフェースユニット１の識別番号の行において、「１」を示す欄のバックワード側インターフェースユニット１は、ＢＤＩを送信し、「０」を示す欄のバックワード側インターフェースユニット１は、ＢＤＩを送信しない。例えば、インターフェースユニット（＃１）１が警報を検出した場合、インターフェースユニット（＃１〜＃４）１がＢＤＩを送信する（符号Ｐ２参照）。
【００７４】
このように、グループ情報３１ａは、インターフェースユニット１のグループＧ、つまりフレーム信号（光信号Ｓ１１〜Ｓ１８、Ｓ２１〜Ｓ２８）のグループＧを示す。言い換えれば、グループ情報３１ａは、複数のフレーム信号のうち、警報が検出されたフレーム信号のグループＧに属する各フレーム信号の警報を転送する警報転送部１７を示す。警報制御部２５は、グループ情報３１ａが示す警報転送部１７に応じた１以上の警報生成部２４に警報の生成を指示する。
【００７５】
このため、グループＧ単位の警報の転送処理が、全てのインターフェースユニット１間に制御信号の配線を設けるなどの複雑なハードウェア構成を備えることなく、容易に実現できる。また、警報の転送処理を行うインターフェースユニット１が、グループ情報３１ａから容易に検索されるので、転送処理の所要時間が短縮される。なお、例えば、ＡＩＳは、要因となる警報の検出後、２フレーム以内の転送が求められる場合がある。
【００７６】
本実施例において、警報制御部２５は、制御ユニット３内の記憶部３１に記憶されたグループ情報３１ａを参照するが、これに限定されない。例えば、スイッチユニット２は、記憶部３１から取得したグループ情報３１ａを、スイッチユニット２内の記憶部（メモリなど）に保持し、参照してもよい。
【００７７】
次に、本実施例に係る伝送装置の動作を、例を挙げて述べる。
【００７８】
（第１動作例）
図７は、第１動作例を示す構成図である。図７において、図２と共通する構成については、同一の符号を付し、その説明を省略する。なお、図７には、本動作例の説明に用いられる構成のみが示されている。これは、他の動作例に関しても同様である。
【００７９】
インターフェースユニット（＃１）１の警報検出部１２が、ＡＩＳの要因となる警報を検出する（「ＡＩＳ検出」参照）。このとき、同一グループＧの他のインターフェースユニット（＃２〜＃４）１において、警報は検出されていない（「警報なし」参照）。検出された警報は、警報検出情報により、インターフェースユニット（＃１）１に対応する警報出力部２２に通知される（点線参照）。そして、警報出力部２２は、当該警報の発生を示す警報検出情報を警報制御部２５に出力する（「ＡＩＳ出力」参照）。
【００８０】
次に、警報制御部２５は、グループ情報３１ａを参照することにより、警報を検出したインターフェースユニット１の識別番号＃１から、警報の生成を指示する対象となる警報生成部２４を特定する（「ＡＩＳ生成指示先特定」参照）。本動作例では、インターフェースユニット（＃５〜＃８）１に対応する警報生成部２４が対象となるので（図６（ａ）の符号Ｐ１参照）、警報制御部２５は、当該警報生成部２４の各々に警報の生成を指示する。
【００８１】
インターフェースユニット（＃５〜＃８）１に対応する警報生成部２４は、当該警報を生成する（「ＡＩＳ生成」参照）。つまり、警報生成部２４は、当該警報の検出を通知する警報検出情報を生成する。生成された警報検出情報は、インターフェースユニット（＃５〜＃８）１の警報転送部１７に出力される（点線参照）。警報転送部１７は、警報の転送処理、つまりＡＩＳの生成処理を行う（「ＡＩＳ転送」参照）。そして、ＡＩＳは、フォワード方向にある他の伝送装置に伝送される。
【００８２】
図８は、第１動作例に関する警報制御部２５及び警報生成部２４の構成を示す構成図である。本例は、インターフェースユニット（＃１）１の警報検出部１２において、ＡＩＳの要因となる警報ＯＤＵＣｎ−ａＡＩＳが検出された場合を示す。
【００８３】
警報制御部２５は、各インターフェースユニット（＃１〜＃８）１に対応するＡＮＤゲート２５１〜２５８を有する。ＡＮＤゲート２５１〜２５８の一方の入力端子には、警報検出情報内のＯＤＵＣｎ−ａＡＩＳ（＝「１」）が入力される。なお、ＡＮＤゲート２５１〜２５８は、警報検出情報内の他の警報についても同様に設けられているが、本例では、ＯＤＵＣｎ−ａＡＩＳについての構成のみを説明する。
【００８４】
また、ＡＮＤゲート２５１〜２５８の他方の入力端子には、フォワード側テーブル（図６（ａ）参照）において、インターフェースユニット（＃１）１に対応するフォワード側インターフェースユニット（＃１〜＃８）１の欄内の値がそれぞれ入力される。つまり、ＡＮＤゲート２５１〜２５４の他方の入力端子には、「０」が入力され、ＡＮＤゲート２５５〜２５８の他方の入力端子には、「１」が入力される。
【００８５】
このため、論理演算の結果、ＡＮＤゲート２５１〜２５４は、「０」を出力し、ＡＮＤゲート２５５〜２５８は、「１」を出力する。ＡＮＤゲート２５１〜２５８は、論理演算値を、インターフェースユニット（＃１〜＃８）１の警報生成部２４にそれぞれ出力する。なお、図８には、論理演算値が「１」に対応するインターフェースユニット（＃５〜＃８）１の警報生成部２４のみが示されている。
【００８６】
警報生成部２４は、各インターフェースユニット（＃１〜＃８）１に対応する入力端子（「ａＡＩＳ（＃１）」〜「ａＡＩＳ（＃８）」参照）を有するＯＲゲート２４０を有する。ＯＲゲート２４０は、入力端子「ａＡＩＳ（＃１）」〜「ａＡＩＳ（＃８）」の少なくとも１つに論理演算値「１」が入力されると、当該インターフェースユニット１に警報検出情報を出力する。
【００８７】
本例では、インターフェースユニット（＃１）１において警報が検出されているため、
ＡＮＤゲート２５１〜２５８の論理演算値は、警報生成部２４のＯＲゲート２４０の入力端子「ａＡＩＳ（＃１）」に入力される。なお、他のインターフェースユニット（＃２〜＃８）１のＡＩＳに関する論理演算値は、ＯＲゲート２４０の入力端子「ａＡＩＳ（＃２）」〜「ａＡＩＳ（＃８）」に入力される。
【００８８】
ＡＮＤゲート２５５〜２５８は、「１」を出力するので、インターフェースユニット（＃５〜＃８）１に対応する警報生成部２４のＯＲゲート２４０は、インターフェースユニット（＃５〜＃８）１に警報検出情報をそれぞれ出力する。これにより、警報が検出されたフレーム信号のグループＧに属する各フレーム信号の警報が生成され、ＡＩＳにより転送される。
【００８９】
ＡＮＤゲート２５１〜２５４は、「１」を出力するので、インターフェースユニット（＃１〜＃４）１に対応する警報生成部２４のＯＲゲート２４０は、インターフェースユニット（＃１〜＃４）１に警報検出情報を出力しない。このため、インターフェースユニット（＃１〜＃４）１は、ＡＩＳを送信しない。なお、本例において、ＡＩＳについてのＡＮＤゲート２５１〜２５４のみを示したが、警報生成部２４には、ＢＤＩについてのＡＮＤゲートも同様に設けられている。
【００９０】
このように、ＡＮＤゲート２５１〜２５８及びＯＲゲート２４０などのハードウェアにより警報の生成処理及び転送処理を行うと、ソフトウェアによる処理に比較して、時間が短縮される。
【００９１】
（第２動作例）
第１実施例では、ＡＩＳの要因となる警報が検出された場合の動作を挙げたが、ＢＤＩの要因となる警報が検出された場合も、警報制御部２５が参照するグループ情報３１ａのテーブルが異なるだけで、同様の動作が行われる。本例では、ＢＤＩの要因となる警報が検出された場合の動作を説明する。
【００９２】
図９は、第２動作例を示す構成図である。図９において、図２と共通する構成については、同一の符号を付し、その説明を省略する。
【００９３】
インターフェースユニット（＃１）１の警報検出部１２が、ＢＤＩの要因となる警報を検出する（「ＢＤＩ検出」参照）。このとき、同一グループＧの他のインターフェースユニット（＃２〜＃４）１において、警報は検出されていない（「警報なし」参照）。検出された警報は、警報検出情報により、インターフェースユニット（＃１）１に対応する警報出力部２２に通知される（点線参照）。そして、警報出力部２２は、当該警報の発生を示す警報検出情報を警報制御部２５に出力する（「ＢＤＩ出力」参照）。
【００９４】
次に、警報制御部２５は、グループ情報３１ａを参照することにより、警報を検出したインターフェースユニット１の識別番号＃１から、警報の生成を指示する対象となる警報生成部２４を特定する（「ＢＤＩ生成指示先特定」参照）。本動作例では、インターフェースユニット（＃１〜＃４）１に対応する警報生成部２４が対象となるので（図６（ｂ）の符号Ｐ２参照）、警報制御部２５は、当該警報生成部２４の各々に警報の生成を指示する。
【００９５】
インターフェースユニット（＃１〜＃４）１に対応する警報生成部２４は、当該警報を生成する（「ＢＤＩ生成」参照）。つまり、警報生成部２４は、当該警報の検出を通知する警報検出情報を生成する。生成された警報検出情報は、インターフェースユニット（＃１〜＃４）１の警報転送部１７に出力される（点線参照）。警報転送部１７は、警報の転送処理、つまりＢＤＩの生成処理を行う（「ＢＤＩ転送」参照）。そして、ＢＤＩは、バックワード方向にある他の伝送装置に伝送される。
【００９６】
（他の実施例）
次に、他の実施例に係る伝送装置について説明する。図１０は、インターフェースユニット１及びスイッチユニット２の機能構成の他例を示す構成図である。図１０において、図２と共通する構成については、同一の符号を付し、その説明を省略する。
【００９７】
図２に示された伝送装置は、１００（Ｇｂｐｓ）の伝送容量を有する８つのインターフェースユニット（＃１〜＃８）１を用いて、４００（Ｇｂｐｓ）のマルチキャリア伝送を行う。これに対し、本実施例に係る伝送装置は、１００（Ｇｂｐｓ）の伝送容量を有する４つのインターフェースユニット（＃１〜＃４）１、及び２００（Ｇｂｐｓ）の伝送容量を有する２つのインターフェースユニット（＃５，＃６）１を用いる。これにより、４００（Ｇｂｐｓ）のマルチキャリア伝送が行われる。
【００９８】
インターフェースユニット（＃１〜＃４）１は、ＤＰ−ＢＰＳＫによりフレーム信号を変調するのに対し、インターフェースユニット（＃５，＃６）１は、ＤＰ−ＱＰＳＫによりフレーム信号を変調する。ＤＰ−ＢＰＳＫによると、一度の変調処理で２（ｂｉｔ）のデータが符号化される。一方、ＤＰ−ＱＰＳＫによると、一度の変調処理で４（ｂｉｔ）のデータが符号化される。
【００９９】
このため、インターフェースユニット（＃５，＃６）１の伝送容量は、インターフェースユニット（＃１〜＃４）１の２倍である。また、インターフェースユニット（＃５，＃６）１の送信部１５は、それぞれ、ＯＴＵフレームを２つの光信号Ｓ２５ａ，Ｓ２５ｂ，Ｓ２６ａ，Ｓ２６ｂとして出力する。これと同様に、インターフェースユニット（＃５，＃６）１の受信部１０は、それぞれ、２つの光信号Ｓ１５ａ，Ｓ１５ｂ，Ｓ１６ａ，Ｓ１６ｂが入力される。なお、インターフェースユニット（＃５，＃６）１の他部１１〜１４の機能は、先の実施例と同様である。
【０１００】
このように、本実施例におけるインターフェースユニット１の構成は、先の実施例と異なるため、グループ情報３１ａも先の実施例と異なる。図１１には、本実施例におけるフォワード側テーブル及びバックワード側テーブルが示されている。図１１（ａ）はフォワード側テーブルを示し、図１１（ｂ）はバックワード側テーブルを示す。
【０１０１】
図１１に示された各テーブルの参照方法は、図６に示された各テーブルと同様である。例えば、インターフェースユニット（＃１）１が、ＡＩＳの要因となる警報を検出した場合、インターフェースユニット（＃５，＃６）１がＡＩＳを送信する（図１１（ａ）の符号Ｐ３参照）。また、例えば、インターフェースユニット（＃１）１が、ＢＤＩの要因となる警報を検出した場合、インターフェースユニット（＃１〜＃４）１がＢＤＩを送信する（図１１（ｂ）の符号Ｐ４参照）。
【０１０２】
次に、本実施例に係る伝送装置の動作を、例を挙げて述べる。
【０１０３】
（第３動作例）
図１２は、第３動作例を示す構成図である。図１２において、図１０と共通する構成については、同一の符号を付し、その説明を省略する。
【０１０４】
インターフェースユニット（＃１）１の警報検出部１２が、ＡＩＳの要因となる警報を検出する（「ＡＩＳ検出」参照）。このとき、同一グループＧの他のインターフェースユニット（＃２〜＃４）１において、警報は検出されていない（「警報なし」参照）。検出された警報は、警報検出情報により、インターフェースユニット（＃１）１に対応する警報出力部２２に通知される（点線参照）。そして、警報出力部２２は、当該警報の発生を示す警報検出情報を警報制御部２５に出力する（「ＡＩＳ出力」参照）。
【０１０５】
次に、警報制御部２５は、グループ情報３１ａを参照することにより、警報を検出したインターフェースユニット１の識別番号＃１から、警報の生成を指示する対象となる警報生成部２４を特定する（「ＡＩＳ生成指示先特定」参照）。本動作例では、インターフェースユニット（＃５，＃６）１に対応する警報生成部２４が対象となるので（図１１（ａ）の符号Ｐ３参照）、警報制御部２５は、当該警報生成部２４の各々に警報の生成を指示する。
【０１０６】
インターフェースユニット（＃５，＃６）１に対応する警報生成部２４は、当該警報を生成する（「ＡＩＳ生成」参照）。つまり、警報生成部２４は、当該警報の検出を通知する警報検出情報を生成する。生成された警報検出情報は、インターフェースユニット（＃５，＃６）１の警報転送部１７に出力される（点線参照）。警報転送部１７は、警報の転送処理、つまりＡＩＳの生成処理を行う（「ＡＩＳ転送」参照）。そして、ＡＩＳは、フォワード方向にある他の伝送装置に伝送される。
【０１０７】
図１３は、第３動作例に関する警報制御部２５及び警報生成部２４の構成を示す構成図である。本例は、インターフェースユニット（＃１）１の警報検出部１２において、ＡＩＳの要因となる警報ＯＤＵＣｎ−ａＡＩＳが検出された場合を示す。なお、図１３において、図８と共通する構成については、同一の符号を付し、その説明を省略する。
【０１０８】
ＡＮＤゲート２５１〜２５６の一方の入力端子には、警報検出情報内のＯＤＵＣｎ−ａＡＩＳ（＝「１」）が入力される。また、フォワード側テーブル（図１１（ａ）参照）に基づいて、ＡＮＤゲート２５１〜２５４の他方の入力端子には、「０」が入力され、ＡＮＤゲート２５５，２５６の他方の入力端子には、「１」が入力される。
【０１０９】
このため、論理演算の結果、ＡＮＤゲート２５１〜２５４は、インターフェースユニット（＃１〜＃４）１に対応する警報生成部２４に「０」を出力する。また、ＡＮＤゲート２５５，２５６は、インターフェースユニット（＃５，＃６）１に対応する警報生成部２４に「１」を出力する。このため、インターフェースユニット（＃５，＃６）１に対応する各警報生成部２４のＯＲゲート２４０の入力端子「ａＡＩＳ（＃１）」に「１」が入力される。
【０１１０】
したがって、インターフェースユニット（＃５，＃６）１に対応する警報生成部２４のＯＲゲート２４０は、インターフェースユニット（＃５，＃６）１に警報検出情報をそれぞれ出力する。これにより、警報が検出されたフレーム信号のグループＧに属する各フレーム信号の警報が生成され、ＡＩＳにより転送される。
【０１１１】
（第４動作例）
第３実施例では、ＡＩＳの要因となる警報が検出された場合の動作を挙げたが、ＢＤＩの要因となる警報が検出された場合も、警報制御部２５が参照するグループ情報３１ａのテーブルが異なるだけで、同様の動作が行われる。本例では、ＢＤＩの要因となる警報が検出された場合の動作を説明する。
【０１１２】
図１４は、第４動作例を示す構成図である。図１４において、図１０と共通する構成については、同一の符号を付し、その説明を省略する。
【０１１３】
インターフェースユニット（＃１）１の警報検出部１２が、ＢＤＩの要因となる警報を検出する（「ＢＤＩ検出」参照）。このとき、同一グループＧの他のインターフェースユニット（＃２〜＃４）１において、警報は検出されていない（「警報なし」参照）。検出された警報は、警報検出情報により、インターフェースユニット（＃１）１に対応する警報出力部２２に通知される（点線参照）。そして、警報出力部２２は、当該警報の発生を示す警報検出情報を警報制御部２５に出力する（「ＢＤＩ出力」参照）。
【０１１４】
次に、警報制御部２５は、グループ情報３１ａを参照することにより、警報を検出したインターフェースユニット１の識別番号＃１から、警報の生成を指示する対象となる警報生成部２４を特定する（「ＢＤＩ生成指示先特定」参照）。本動作例では、インターフェースユニット（＃１〜＃４）１に対応する警報生成部２４が対象となるので（図１１（ｂ）の符号Ｐ４参照）、警報制御部２５は、当該警報生成部２４の各々に警報の生成を指示する。
【０１１５】
インターフェースユニット（＃１〜＃４）１に対応する警報生成部２４は、当該警報を生成する（「ＢＤＩ生成」参照）。つまり、警報生成部２４は、当該警報の検出を通知する警報検出情報を生成する。生成された警報検出情報は、インターフェースユニット（＃１〜＃４）１の警報転送部１７に出力される（点線参照）。警報転送部１７は、警報の転送処理、つまりＢＤＩの生成処理を行う（「ＢＤＩ転送」参照）。そして、ＢＤＩは、バックワード方向にある他の伝送装置に伝送される。
【０１１６】
これまで述べたように、実施例に係る伝送装置は、複数の検出部（警報検出部）１２と、記憶部３１と、特定部（警報制御部）２５と、１以上の生成部（警報生成部）２４とを有する。複数の検出部１２は、分割されたクライアント信号をそれぞれ収容した複数のフレーム信号（ＯＴＵフレーム）の警報を、それぞれ検出する。
【０１１７】
記憶部３１は、複数のフレーム信号について、収容されたクライアント信号が共通するグループＧを示すグループ情報３１ａを記憶する。特定部２５は、複数のフレーム信号のうち、警報が検出されたフレーム信号と共通のクライアント信号を収容する他のフレーム信号を、グループ情報３１ａに基づいて特定する。１以上の生成部２４は、特定部２５により特定された他のフレーム信号の警報を生成する。
【０１１８】
このように、特定部は、検出部がフレーム信号の警報を検出した場合、当該フレーム信号と収容されたクライアント信号が共通するグループＧに属する他のフレーム信号を特定する。生成部２４は、特定部２５により特定された他のフレーム信号の警報を生成する。
【０１１９】
したがって、本実施例に係る伝送装置は、共通のクライアント信号を収容するフレーム信号の１つに警報が検出された場合、他のフレーム信号にも警報を発出させる。よって、本実施例に係る伝送装置によると、警報検出機能が改善される。
【０１２０】
以上、好ましい実施例を参照して本発明の内容を具体的に説明したが、本発明の基本的技術思想及び教示に基づいて、当業者であれば、種々の変形態様を採り得ることは自明である。
【符号の説明】
【０１２１】
１                    インターフェースユニット
２                    スイッチユニット
３                    制御ユニット
１２                  警報検出部（検出部）
２４                  警報生成部（生成部）
２５                  警報制御部（特定部）
３１                  記憶部
３１ａ                グループ情報
【図１】
2015139072.tif 000003
【図２】
2015139072.tif 000004
【図３】
2015139072.tif 000005
【図４】
2015139072.tif 000006
【図５】
2015139072.tif 000007
【図６】
2015139072.tif 000008
【図７】
2015139072.tif 000009
【図８】
2015139072.tif 000010
【図９】
2015139072.tif 000011
【図１０】
2015139072.tif 000012
【図１１】
2015139072.tif 000013
【図１２】
2015139072.tif 000014
【図１３】
2015139072.tif 000015
【図１４】
2015139072.tif 000016